(57)【要約】      （修正有）【課題】ボトル本体の開口部に対して、所定の取付部材を介して嵌合固定された飲料注出口および直飲み用の飲み口部を有する栓本体と、上記ボトル本体開口部の周方向一側部に軸支され、同軸支部を支点として上下方向に弧回動開閉する蓋体とからなる飲料用容器の栓において、上記飲み口部の飲み口領域を可及的に広くし、かつ飲みやすさを向上させる。【解決手段】ボトル本体１の開口部３に対して、所定の取付部材１６を介して嵌合固定された飲料注出口１３および直飲み用の飲み口部４１を有する栓本体４と、上記ボトル本体開口部３の周方向一側部に軸支され、同軸支部を支点として上下方向に弧回動開閉する蓋体とからなる飲料用容器の栓において、上記飲み口部４１を上記蓋体の軸支部を除く周方向の略全体に設けるとともに、該飲み口部４１の開口部略中心に位置して上記飲料注出口１３を設けた。【選択図】図２
2012121614.tif 000002
【特許請求の範囲】
【請求項１】
ボトル本体の開口部に対して、所定の取付部材を介して嵌合固定された飲料注出口および直飲み用の飲み口部を有する栓本体と、上記ボトル本体開口部の周方向一側部に軸支され、同軸支部を支点として上下方向に弧回動開閉する蓋体とからなる飲料用容器の栓において、上記飲み口部を上記蓋体の軸支部を除く周方向の略全体に設けるとともに、該飲み口部の開口部略中心に位置して上記飲料注出口を設けたことを特徴とする飲料用容器の栓。
【請求項２】
ボトル本体の開口部に対して、所定の取付部材を介して嵌合固定された飲料注出口および直飲み用の飲み口部を有する栓本体と、上記ボトル本体開口部の周方向一側部に軸支され、同軸支部を支点として上下方向に弧回動開閉する蓋体とからなる飲料用容器の栓において、上記飲み口部を上記蓋体の軸支部を除く周方向の略全体に設けるとともに、その筒状の口縁部の高さが全体に亘って略同一の高さに形成されていることを特徴とする飲料用容器の栓。
【請求項３】
飲み口部の口縁部に連続する蓋体軸支部側の口縁部は、飲み口部の口縁部とは異なり、蓋体軸支部の軸と平行な扁平な縁部形状となっていることを特徴とする請求項１又は２記載の飲料用容器の栓。
【請求項４】
飲み口部を有する栓本体は、所定の取付部材とは別体に形成されていて、同所定の取付部材から任意に取り外すことができるようになっていることを特徴とする請求項１，２又は３記載の飲料用容器の栓。
【発明の詳細な説明】
【技術分野】
【０００１】
本願発明は、ステンレスボトル等の直飲み可能な飲料用容器の栓に関するものである。
【背景技術】
【０００２】
最近のステンレスボトルでは、飲料を収容するボトル本体上端側の開口部に、直飲みすることができる飲み口部を備えた栓体を嵌合するとともに、その上部を覆う蓋体を設けたものが多くなっている。
【０００３】
蓋体は、例えば上記栓体の周方向の一側部に設けられたヒンジ部等の軸支部により上下方向に弧回動可能に軸支されており、下方に回動した状態で上記飲み口部を覆う一方、上方から後方に回動した状態で上記飲み口部および飲料注出口部を開放するようになっている。
【０００４】
一方、飲み口部は、上記蓋体を避けた上記蓋体軸支部と１８０°位置を異にする対向面側が最も口縁部の高さが高く、蓋体軸支部側で最も低くなる側面視傾斜状態の飲み口筒に形成されているとともに、上記ボトル本体内からの飲料を注出する飲料注出口は飲み口部の開口中心ではなく、当該飲み口部の最も高さが高い口縁部位置に偏位させた状態で設けられている（特許文献１を参照）。
【０００５】
つまり、従来の栓の構造では、飲み口部の口縁部全体が飲み口となっているのではなく、蓋体軸支部と正反対側の最も高さの高い口縁部部分のみを飲み口として特定し、同飲み口部分に対して最も近い状態で飲料注出口を設けることによって、スムーズな飲料の注出が可能となるようにしていた。
【０００６】
このような構成によると、最も蓋体から離れた位置が飲み口となるので、飲む時に、少なくとも蓋体が邪魔になるということはなくなる。
【先行技術文献】
【特許文献】
【０００７】
【特許文献１】特開２００８−２３９１７７号公報
【発明の概要】
【発明が解決しようとする課題】
【０００８】
しかし、上記のような構成の場合、あまりにも飲み口領域が狭く、ユーザーは常にボトル本体を持つ位置を意識的に調節した上で飲まなければならず、しかも、一般に上記蓋体軸支部と正反対側の栓体正面には指でプッシュ操作を行って蓋体のロックを解除するロック解除レバーが外方に突出した状態を設けられているケースが多く、片手でロックを解除して、そのまま飲もうとすると、非常に飲みにくい問題がある。
【０００９】
また、仮にロック解除後、他方の手に持ち変えて飲む場合にも、直下にロック解除レバーが突出していると、非常に飲みづらい。
【００１０】
さらに、上記構成の場合、飲料の残量が多い時は、ボトル本体の傾きが小さくても良いので蓋体の軸支部と反対側の正面部分でも楽に飲めるが、他方飲料の残量が少なくなると、ボトル本体を大きく傾けて飲む必要があるので、蓋体が鼻の上に来ることになり、蓋体の軸支部対向面側では飲みにくくなる。
【００１１】
この問題は、前述の従来例のように、同位置における飲み口の口縁部の高さが高いほど顕著となる。
【００１２】
本願発明は、このような事情に基いてなされたもので、少なくとも蓋体の軸支部は除くが、それ以外の周方向の略全域を使用可能な飲み口部に形成するとともに、同飲み口部の全域に均等な形で飲料注出口を位置させることによって、上述のような問題を解決した飲料容器の栓を提供することを目的とするものである。
【課題を解決するための手段】
【００１３】
本願各発明は、上記の目的を達成するために、それぞれ次のような有効な課題解決手段を備えて構成されている。
【００１４】
（１）  請求項１の発明
この発明の飲料用容器の栓は、ボトル本体の開口部に対して、所定の取付部材を介して嵌合固定された飲料注出口および直飲み用の飲み口部を有する栓本体と、上記ボトル本体開口部の周方向一側部に軸支され、同軸支部を支点として上下方向に弧回動開閉する蓋体とからなる飲料用容器の栓において、上記飲み口部を上記蓋体の軸支部を除く周方向の略全体に設けるとともに、該飲み口部の開口部略中心に位置して上記飲料注出口を設けたことを特徴としている。
【００１５】
このような構成によると、上記のように、飲み口部が上記蓋体の軸支部を除く周方向の略全体に亘って設けられているので、飲み口領域が広くなり、蓋体軸支部側以外の何処からでも飲めるようになるので、非常に飲みやすくなる。
【００１６】
しかも、その場合において、当該飲み口開口部の略中心部分に位置して飲料注出口が設けられているので、上記広くなった飲み口の何の部分に対しても同一のスムーズな飲料の注出状態が実現される。
【００１７】
特に、以上の構成によると、飲料の残量が少なくなった場合には、蓋体軸支部の対向面側を避けて飲むことができるので、従来のような飲みにくさの問題を効果的に解決することができる。
【００１８】
したがって、より飲みやすくなる。
【００１９】
（２）  請求項２の発明
この発明の飲料用容器の栓は、ボトル本体の開口部に対して、所定の取付部材を介して嵌合固定された飲料注出口および直飲み用の飲み口部を有する栓本体と、上記ボトル本体開口部の周方向一側部に軸支され、同軸支部を支点として上下方向に弧回動開閉する蓋体とからなる飲料用容器の栓において、上記飲み口部を上記蓋体の軸支部を除く周方向の略全体に設けるとともに、その筒状の口縁部の高さが全体に亘って略同一の高さに形成されていることを特徴としている。
【００２０】
このような構成によると、上記のように、飲み口部が上記蓋体の軸支部側を除く周方向の略全体に亘って設けられているので、飲み口領域が広くなり、蓋体軸支部側以外の何処からでも飲めるようになるので、非常に飲みやすくなる。
【００２１】
しかも、その場合において、その筒状の口縁部の高さが全体に亘って略同一の高さに形成されていることから、上記広くなった飲み口部の何の部分に対しても同一の状態で口を付けることができ、かつ同一のスムーズな飲料の注出状態が実現される。
【００２２】
したがって、より飲みやすくなる。
【００２３】
（３）  請求項３の発明
この発明の飲料用容器の栓は、上記請求項１又は２の発明の構成において、飲み口部の口縁部に連続する蓋体軸支部側の口縁部は、飲み口部の口縁部とは異なり、蓋体軸支部の軸と平行な扁平な縁部形状となっていることを特徴としている。
【００２４】
このような構成によると、ヒンジ部などよりなる蓋体の軸支部が、例えば円筒形状の栓カバー等取付部材外周面から外方に突出しなくなり、全体にスマートな形状の栓体を形成することができるようになる。
【００２５】
また、そのような形状によると、蓋体軸支部側の底部の傾斜が大きくなり、蓋体軸支部側に寄った飲み口部分で飲んだ時に、蓋体軸支部側に流れた飲料が速やかに口を付けている部分に移され、また注出口内に戻されるるようになり、飲みやすく、かつ、こぼれにくくなる。
【００２６】
（４）  請求項４の発明
この発明の飲料用容器の栓は、上記請求項１又は２の発明の構成において、飲み口部を有する栓本体は、所定の取付部材とは別体に形成されていて、同所定の取付部材から任意に取り外すことができるようになっていることを特徴としている。
【００２７】
このような構成によると、飲み口部を有する栓本体の分解洗浄が可能となり、衛生的となる。
【００２８】
また、この場合において、上述のように、飲み口部の口縁部と該飲み口部の口縁部に連続する蓋体軸支部側の口縁部とが異なる形状、例えば飲み口部側口縁部が円筒形状であるのに対し、蓋体軸支部側の口縁部がヒンジ部のヒンジ軸方向に平行な扁平な縁部形状となっていると、同部分が上記分解した栓本体を元の状態に取り付ける時の飲み口部位置決め用の目印となり、取り付けやすくなる。
【発明の効果】
【００２９】
以上の結果、本願発明によれば、広い飲み口範囲の、非常に飲みやすい飲料容器を提供することが可能となる。
【図面の簡単な説明】
【００３０】
【図１】本願発明の実施の形態に係る飲料容器の正面方向から見た外観図である。
【図２】同飲料容器の栓部分を含めた全体の内部構造を示す縦断面図である。
【図３】同飲料容器の栓部分の構造を示す蓋閉状態の斜視図である。
【図４】同飲料容器の栓部分の構造を示す蓋閉状態の側面図である。
【図５】同飲料容器の栓部分の構造を示す蓋閉状態の平面図である。
【図６】同飲料容器の栓部分の構造を示す蓋閉状態の底面図である。
【図７】同飲料容器の栓部分の構造を示す蓋開状態の分解斜視図である。
【図８】同飲料容器の栓部分の構造を示す蓋開状態の側面図である。
【図９】同飲料容器の栓部分の構造を示す蓋開状態の平面図である。
【図１０】同飲料容器の栓部分の構造を示す蓋開状態の側面方向から見た縦断面図である。
【図１１】同飲料容器の栓部分の構造を示す蓋開状態の正面方向から見た縦断面図である。
【発明を実施するための形態】
【００３１】
以下、添付の図面を参照して、本願発明の飲料用容器の栓の実施の形態について説明する。
【００３２】
まず図１および図２には、本願発明の実施の形態に係る飲料用容器の栓のボトル本体を含む全体的な構成が、また図３〜図１１には、同栓自体の各部の構成が示されている。
【００３３】
（ボトル本体と栓体部の構成）
この実施の形態では、飲料容器の一例として、保温機能の高い真空二重容器よりなるステンレスボトルが採用されている。
【００３４】
このステンレスボトルのボトル本体１は、ステンレス製の内容器１ａと同じくステンレス製の外ケース１ｂとからなり、それらの上端側開口縁部同士を相互に接合一体化するとともに、その外周面側外ケース１ｂ上端部の外周面に栓カバー５側螺条溝２ｂと螺合する螺条溝２ａを形成している。そして、それら内容器１ａと外ケース１ｂとの間を真空状態にして構成されている。
【００３５】
同ボトル本体１の上端側開口部３内には、まず栓本体嵌合用の取付部材であるスリーブ１６に対して栓本体４が嵌合された後、その外周側に栓カバー５が螺合されて固定されている。そして、この栓カバー５が、さらに上記ボトル本体１の開口部３に嵌合（螺合）される。
【００３６】
栓カバー５の外周部一側の上端にはヒンジ軸７を枢支したヒンジブラケット８が設けられており、該ヒンジブラケット８により枢支されたヒンジ軸７に対して蓋体１０側のヒンジブラケット１１が枢着され、それによって蓋体１０が上下方向に弧回動自在に軸支されている。
【００３７】
上記ヒンジ軸７には、コイル状のヒンジスプリング１２が巻装されており、その一端１２ａ側は上記栓カバー５側に、また他端１２ｂ側は上記蓋体１０側に、それぞれ反発方向（蓋開方向）の弾性を有する形で係合されており、上記蓋体１０を後述するロック部側からヒンジ部側後方に傾いた開放状態に維持するようになっている（図８参照）。
【００３８】
上記栓本体４は、上部側皿状の飲み口部４１と下部側スカート状の拡大壁４２ｂを有する嵌合部４２とからなり、嵌合部４２は、そのスカート状の拡大壁４２ｂ下端部分が、リング状の第１のゴム製パッキン２２を介して、上記内容器１ａの開口部３下端側に形成した縮径部１７部分に嵌合されるようになっている一方、飲み口部４１は、上記栓本体嵌合用のスリーブ１６の上端側に第２のゴム製パッキン２１を介して嵌合されるようになっている。そして、それらの間の境界部である飲み口部４１の開口部略中心部分である底部壁４１ａ略中央部分には、飲料の注出口１３が設けられている。
【００３９】
飲み口部４１は、口付け部となる上部側開口縁部が略垂直で同一の高さの筒状壁４１ｂよりなり、その下端部から略中央部の飲料注出口１３にかけて摺鉢状に下降しながら径を縮小する底部壁４１ａとなっており、該底部壁４１ａの最も低い（深い）部分に飲料注出口１３が開口されている。また筒状壁４１ｂ上端の口縁部４１ｃは、蓋体１０が軸支部Ｗ側部分を除いて、その一部が外側に張り出した湯切れ形状となっている。
【００４０】
そして、上記筒状壁４１ｂと底部壁４１ａとの境界部（連接部）外周面にはリング状の第２のゴム製パッキン２１が嵌合固定されており、同第２のゴム製パッキン２１を介してボトル本体１の開口縁部３の内側に嵌合されている栓本体嵌合用スリーブ１６の内側に着脱可能な状態で下方側から嵌合されている。
【００４１】
他方、上記栓本体４のスカート状の嵌合部４２は、その拡大壁４２ｂ下端側下部外周面のリング溝４２ｃに上述したリング状の第１のゴム製パッキン２２が嵌合されており、該第１のゴム製パッキン２２を介して、上述した内容器１ａの開口部３下端側に形成されているヒートキープ作用をもった縮径部１７部分に嵌合して支持されている。
【００４２】
また、スカート状の嵌合部４２の拡大壁４２ｂの下端部外周には、上記第１のゴム製パッキン２２の上部側に位置して、所定幅半径方向外周に張り出したフランジ部４２ａが設けられており、上記嵌合時には、該フランジ部４２ａが上述した栓本体嵌合用スリーブ１６の下端１６ａ部分に係合された状態となるようになっている。
【００４３】
また、栓本体嵌合用スリーブ１６は、その上端１６ｂ部分の外周にリング状の第３のゴム製パッキン１６ｃを有し、同第３のゴム製パッキン１６ｃを介して、上記栓カバー５の内側に嵌合され、栓カバー５上端部内側のフランジ部で上端部側縁部が係止されて一体化されている。
【００４４】
一方、上記蓋体１０は、蓋カバー１０１と、該蓋カバー１０１の下側にあって、上記栓本体４の飲み口部４１内底部の飲料注出口１３を閉じる凸状の栓部材１０２ａを備えた蓋本体１０２とから構成されている。
【００４５】
蓋本体１０２は、周方向一側部側の上記ヒンジ部側に平面視コ字形状のヒンジブラケット１１，１１、中央部に栓部材１０２ａ、周方向他側の上記ヒンジ部と反対側位置にロックレバー１８のロック片１８ａとの係合部１０２ｂを有して構成されており、一側部側ヒンジ部のヒンジ軸７を支点として、図２の左側から右側方向、また逆方向に弧回動可能となっている（図８参照）。
【００４６】
そして、栓部材１０２ａは、最上方の最も径の大きな第１口径部ａ１部分から、第２口径部ａ２、第３口径部ａ３の下方側に向けて３段階に開口径が小さくなる多径筒状体により構成され、最下段の第３口径部ａ３から最上段の第１口径部ａ１にかけて同円筒形状のゴム製カバー１９が着脱可能な状態で被冠されている。そして、同栓部材１０２ａは、蓋体１０が閉じられた状態では、当該ゴム製カバー１９を介して、例えば図２に示すように、上記飲み口部４１底部壁４１ａ中央の飲料注出口１３を確実にシールし、飲料が外部に出ないようにする。また、この状態では、上記ゴム製カバー１９の上端側外周縁部１９ａが、上記飲み口部４１の口縁部をシールする。
【００４７】
また、ロックレバー１８側ロック片１８ａとの係合部１０２ｂは、上記栓部材１０２ａ他側部側の蓋本体１０２の外周壁の一部を同他側部側（ロックレバー１８側）外方に延設し、同延設端下部に断面コ字状のロック片係合溝２０を形成して構成されており、同ロック片係合溝２０内にロックレバー１８の鉤形のロック片１８ａが挿入係合されて、蓋体１０が閉状態にロックされるようになっている。
【００４８】
ロックレバー１８は、上記栓カバー５の他側部側の平面視Ｕ状の凹部５ａ内にあって左右方向に延びる支軸３１を介して途中を支持され、その支軸３１よりも下部側をコイルスプリング３２によって外方に付勢する形で設けられており、同コイルスプリング３２の付勢力により、常時上端側ロック片１８ａが上記蓋本体１０２側係合部１０２ｂの係合溝２０内に係合されるようになっている。
【００４９】
一方、この状態で、上記ロックレバー１８の下端側押圧部１８ｂを上記コイルスプリング３２の付勢力に抗して押すと、上記ロック片１８ａは反係合方向に回動されて、上記蓋本体１０２側係合部１０２ｂの係合溝２０との係合が解除されて、蓋体１０が開放される（図７〜図１０参照）。
【００５０】
なお、この場合、上記ロックレバー１８のロック片１８ａの外周部分には、上下方向にスライド自在な状態で、上記ロックレバー１８のロック片１８ａを上記係合状態にロックしてロックレバー１８のロック解除操作を不可能にするロックレバー固定部材２３が設けられている。
【００５１】
このロックレバー固定部材２３は、上記蓋本体１０２の上面部側の蓋カバー嵌合溝部１０１ａ内に嵌合固定された蓋カバー１０１の他側部側一部の下降壁１０１ｂとその内側のスライド壁１０２ｃとの間に位置して、上下方向にスライド可能となっている。スライド壁１０２ｃのロックレバー固定部材２３との対向面側には、該ロックレバー固定部材２３のスライド壁１０２ｃとの対向面側に設けられた第１の係合凸部２３ａと摺接係合する第２の係合凸部２４が設けられている。
【００５２】
そして、上記スライド壁１０２ｃは、内外方向にバネ変形可能な弾性壁に形成されている。
【００５３】
したがって、ロックレバー固定部材２３下端側の操作用突片２３ｂを操作して、同ロックレバー固定部材２３を下方側に引き下げると、上記ロックレバー固定部材２３側第１の係合凸部２３ａがスライド壁１０２ｃ側第２の係合凸部２４を乗り越えて同第２の係合凸部２４の下側に位置した状態で係止される。
【００５４】
そして、この状態では、同ロックレバー固定部材２３の下端側が、ロックレバー１８のロック片１８ａ外周面側を係止し、ロックレバー１８の下端１８ｂ側を押圧しても、上端側ロック片１８ａのロック片係合溝２０との係合が解除されないようになる（図２の状態を参照）。
【００５５】
一方、この状態から、上記ロックレバー固定部材２３を上方に押し上げると、上記と逆に同ロックレバー固定部材２３の第１の係合凸部２３ａが上記スライド壁１０２ｃ側の第２の係合凸部２４を乗り越えて、第２の係合凸部２４の上側に位置する状態で係止される。
【００５６】
そして、この状態では、上記ロックレバー固定部材２３の下端側が上記ロックレバー１８のロック片１８ａの外周面側を開方するので、ロックレバー１８の下端１８ｂ側を押圧することにより、上端側ロック片１８ａを上記ロック片係合溝２０から外方に解除して蓋体１０を開くことが可能となる（図１０の状態を参照）。
【００５７】
以上のように、この発明の飲料用容器の栓は、ボトル本体１の上端側開口部３に対して、スリーブ１６および栓カバー５を介して嵌合固定された飲料注出口１３および飲み口部４１を有する栓本体４と、上記栓カバー５の周方向一側部に軸支され、同軸支部を支点として上下方向に弧回動開閉する蓋体１０とからなる飲料用容器の栓において、上記飲み口部４１が上記蓋体１０の軸支部Ｗ側を除く周方向の略全体に設けられているとともに、該飲み口部４１の略中心部に位置して上記飲料注出口１３が設けられている（図２、図７および図９〜図１１を参照）。
【００５８】
このような構成によると、上記のように、飲み口部４１が上記蓋体１０の軸支部Ｗ側を除く周方向の略全体に亘って設けられているので、飲み口領域が広くなり、蓋体１０軸支部Ｗ側以外の何処からでも飲めるようになるので、非常に飲みやすくなる。
【００５９】
しかも、その場合において、当該飲み口部４１の開口部の略中心部分に位置して飲料注出口１３が設けられているので、上記広くなった飲み口部の何の部分に対しても、等距離かつ同一の注出条件でスムーズな飲料の注出状態が実現される（図９、図１０、図１１の鎖線矢印を参照）。
【００６０】
したがって、より飲みやすくなる。
【００６１】
すでに述べたように、飲料の残量が多い時は、ボトル本体の傾きが小さくても良いので、蓋体の軸支部と反対側の正面部分でも楽に飲めるが、他方飲料の残量が少なくなると、ボトル本体を大きく傾けて飲む必要があるので、従来の構成では蓋体が鼻の上に来ることになり、蓋体の軸支部対向面側では飲みにくくなる。
【００６２】
この問題は、上述した従来例のように、同位置における飲み口の口縁部の高さが高いほど顕著となる。
【００６３】
ところが、以上の構成によると、飲料の残量が少なくなった場合には、軸支部の対向面側を避けた位置でスムーズに飲むことができ、そのような問題を生じさせなくて済む。
【００６４】
しかも、この発明の飲料用容器の栓の場合には、上記飲み口部４１の筒状壁４１ｂよりなる口縁部４１ｃの高さが全体に亘って略同一の高さに形成されている。
【００６５】
このような構成によると、上記広くなった飲み口部４１の何の口縁部４１ｃ部分に対しても同一の状態で口を付けることができ、かつ同一の注出条件でのスムーズな飲料の注出状態が実現される。
【００６６】
したがって、より一層飲みやすくなる。
【００６７】
また、この発明の飲料用容器の栓では、上記栓本体４の飲み口部４１部分の口縁部４１ｃと該飲み口部４１の口縁部４１ｃに連続する蓋体１０軸支部Ｗ側の口縁部部分とは、その形状を異にし、蓋体１０軸支部Ｗ側の口縁部部分は、例えば図１、図７、図９、図１０、図１１に示すように蓋体１０軸支部のヒンジ軸７と平行な平面視Ｄ形の扁平な縁部形状となっており、しかも一部がフランジ状に張り出した湯切れ部を有しないストレートな形状となっている。
【００６８】
このような構成によると、ヒンジ軸７を有するヒンジ部よりなる蓋体１０の軸支部Ｗ部分を注出口１３側に寄せることができ、同軸支部Ｗ部分が円筒形状の栓カバー５外周面から外方に突出しなくなり、全体にスマートな形状の栓体を形成することができるようになる。
【００６９】
また、それにより同部分から注出口１３までの距離が短かくなり、同部分の底壁部４１ａ′の傾斜角は、その他の底部壁４１ａ部分よりも傾斜が急になっている。したがって、蓋体１０の軸支部Ｗ側に寄った飲み口部４１分で飲んだ時の、蓋体１０の軸支部側に流れた飲料が速やかに口を付けている部分に移されるようになり、飲みやすくなる。また、元々軸支部Ｗ側には流れにくくなり、かつ流れた飲料の飲料注出口１３側への戻りも速くなる（図１０の矢印参照）。
【００７０】
また、飲み口とならない部分に不必要に湯切れ形状を形成する必要がないので、成型も容易となる。
【００７１】
さらに、この発明の飲料用容器の栓では、上記飲み口部４１を有する栓本体４は、栓本体４のボトル本体１側への取付部材である栓本体嵌合用スリーブ１６および栓カバー５と別体に形成されていて、同ボトル本体１側への取付部材である栓本体嵌合用スリーブ１６および栓カバー５から取り外すことができるようになっている。
【００７２】
したがって、このような構成によると、飲み口部４１を有する栓本体４の分解洗浄が可能となり、衛生的となる。
【００７３】
また、その着脱は、若干半径方向外方に突出している第２のゴム製パッキン２１部分を栓本体嵌合用スリーブ１６内側の半径方向内方への凸部部分を乗り超えて上部から下方に引き抜き、また逆に下方から上方に押し上げて、図２のように、その上部側に係合させるだけで良いので、簡単である。
【００７４】
また、この場合において、該栓本体４の飲み口部４１の口縁部４１ｃと同飲み口部４１の口縁部４１ｃに連続する蓋体１０軸支部Ｗ側の口縁部とが、上述のように平面視Ｄ形の相互に異なる形状となっており、特に蓋体軸支部Ｗ側の形状が蓋体軸支部のヒンジ軸７方向に平行な扁平な縁部形状となっていると、同部分が上記分解した栓本体４を元の状態に取り付ける時の位置決め用の目印となり、より取り付けやすくなる。
【００７５】
これらの結果、同構成によると、広い飲み口範囲の飲みやすい飲料容器を、安価に提供することが可能となる。
【符号の説明】
【００７６】
１はボトル本体、３は開口部、４は栓本体、５は栓カバー、７はヒンジ軸、８はヒンジブラケット、１０は蓋体、１１はヒンジブラケット、１３は飲料注出口、１６は栓本体嵌合用のスリーブ、４１は飲み口部、４２は嵌合部、１０１は蓋カバー、１０２は蓋本体、１０２ａは栓部材である。
【図１】
2012121614.tif 000003
【図２】
2012121614.tif 000004
【図３】
2012121614.tif 000005
【図４】
2012121614.tif 000006
【図５】
2012121614.tif 000007
【図６】
2012121614.tif 000008
【図７】
2012121614.tif 000009
【図８】
2012121614.tif 000010
【図９】
2012121614.tif 000011
【図１０】
2012121614.tif 000012
【図１１】
2012121614.tif 000013